(57)【要約】【課題】折り畳み可能なハンガーにおいて、一方の手で衣類を押さえながら他方の手でハンガーのアームを開閉させることができるとともに、アームを開放させたとき、重い洗濯物などを掛けてもアーム部分の開放状態がしっかりと保持される折畳式ハンガーの提供。【解決手段】折畳式ハンガーにおいて、左右のアームに形成させた空間部に係止させるアーム係止部を備えたアーム回動手段を上下方向にスライド移動させることで、左右のアームを折り畳み状態および展開状態に回動させる構成とした。【選択図】      図６
2005124887.tif 000002
【特許請求の範囲】
【請求項１】
フック部と、左右に展開させたとき左右に延出したハンガー片を形成する左右のアームと、前記左右のアームを展開状態から下方に折り畳まれた状態まで回動自在に枢止するアーム支持部とを備えた折畳式ハンガーにおいて、
左右のアームは、展開状態のときアーム支持部の側面に臨む支持部当接部と、この支持部当接部との間でコーナーが形成されるように設けられ折り畳まれた状態のときお互いに臨み合うアーム当接部と、前記コーナー部分またはコーナー部分近傍を回動中心としてアーム支持部に取り付けられるアーム取り付け部と、アーム内部における前記支持部当接部およびアーム当接部のコーナー部分に沿うように設けられた空間部とを備えており、
前記空間部には、展開状態および折り畳まれた状態にした左右のアームの空間部に同時に挿入され、アームの展開状態が保持されるように係止するアーム係止部を備え上下方向にスライド移動させることで、左右のアームを折り畳み状態および展開状態に回動させるアーム回動手段が取り付けられ、
左右のアームが展開状態となる位置でアーム回動手段を解除可能に固定する固定手段を備えていることを特徴とする折畳式ハンガー。
【請求項２】
アーム回動手段が、スライド移動させる際に指を引っ掛ける指掛かり部を備えている請求項１に記載の折畳式ハンガー。
【発明の詳細な説明】
【技術分野】
【０００１】
本発明は、衣類の吊り下げに利用されるハンガーに関し、詳しくは左右のアームを折り畳むことができる折畳式ハンガーに関する。
【背景技術】
【０００２】
従来からハンガーは、衣類を掛ける本体部と、この本体部を物干し竿などに吊り下げる吊り下げ用フック部とを備えた構成をしているのが一般的である。
上記本体部は、フック部が設けられている位置から左右両側方にそれぞれ左肩アームおよび右肩アームが張り出すことで略三角形状に形成されている。
【０００３】
しかし、従来のハンガーは、本体部を構成する左右のアームが一体成形されたものであるため、トレーナーやＴシャツなどの丸首の衣類を掛ける際に、左右に張り出した左肩アームおよび右肩アームに丸首部分を通す作業が面倒であるばかりか、丸首部分が細いタイプの衣類を掛けるときには、アーム部分に引っ掛かることで丸首部分が伸びてしまうおそれがある。
【０００４】
そこで、衣類の首部に通すことを容易にするための折り畳み可能なハンガーが提案されている（例えば、特許文献１参照）。
また、衣服掛けのアームをワンタッチで下方へ折り畳み衣服を外す折畳式衣服掛けが提案されている（例えば、特許文献２参照）。
さらに、部品点数を少なくして左肩片と右肩片とを折り畳みできる衣服用ハンガーも提案されている（例えば、特許文献３参照）。
【０００５】
【特許文献１】実開平５−１５８８１号公報
【特許文献２】特開平８−１２６５７０号公報
【特許文献３】特開平１０−７５８７３号公報
【発明の開示】
【発明が解決しようとする課題】
【０００６】
しかし、実開平５−１５８８１号公報に記載されている折り畳み可能なハンガーは、左右の衣類掛け棒をそれぞれ掴んで開閉させなければならないため、一方の手で衣類を押さえながら他方の手でハンガーのアームを開閉させる作業を行うことが難しいという問題がある。
【０００７】
また、特開平８−１２６５７０号公報に記載されている折畳式衣服掛は、ワンタッチでアームを折り畳むことが出来るが、内部にばねを組み入れなければならないため、構造が複雑となりコスト高となってしまうばかりか、アームがばねとアーム挟持体とで支持されているだけであるため、アームを開放させた状態（衣類を掛けることが可能な状態）での強度が弱く、たとえば、洗濯後のトレーナーなどの重い衣類を掛けたとき、アームの開放状態が耐え切れなくなってしまい、物干しなどに吊るされている状態にあるハンガーのアーム部分が下方に落ちてしまうおそれが生じる。
【０００８】
さらに、特開平１０−７５８７３号公報に記載されている衣類用ハンガーは、ハンガーのアームを開閉させる際に、左右それぞれのアームを把持した状態で開閉させる必要があるため、上述した実開平５−１５８８１号公報に記載されている折り畳み可能なハンガーと同様に、一方の手で衣類を押さえながら他方の手でハンガーを開閉させる作業を行うことが難しいという問題がある。
【０００９】
そこで、本発明は、上記事情に鑑みて、折り畳み可能なハンガーにおいて、一方の手で衣類を押さえながら他方の手でハンガーのアームを開閉させることができるとともに、アームを開放させたとき、重い洗濯物などを掛けてもアーム部分の開放状態がしっかりと保持される折畳式ハンガーの提供を目的としている。
【課題を解決するための手段】
【００１０】
上記目的を達成するために、本発明の請求項１の記載にかかる折畳式ハンガー（以下、「請求項１のハンガー」と記す。）は、フック部と、左右に展開させたとき左右に延出したハンガー片を形成する左右のアームと、前記左右のアームを展開状態から下方に折り畳まれた状態まで回動自在に枢止するアーム支持部とを備えた折畳式ハンガーにおいて、左右のアームは、展開状態のときアーム支持部の側面に臨む支持部当接部と、この支持部当接部との間でコーナーが形成されるように設けられ折り畳まれた状態のときお互いに臨み合うアーム当接部と、前記コーナー部分またはコーナー部分近傍を回動中心としてアーム支持部に取り付けられるアーム取り付け部と、アーム内部における前記支持部当接部およびアーム当接部のコーナー部分に沿うように設けられた空間部とを備えており、前記空間部には、展開状態および折り畳まれた状態にした左右のアームの空間部に同時に挿入され、アームの展開状態が保持されるように係止するアーム係止部を備え上下方向にスライド移動させることで、左右のアームを折り畳み状態および展開状態に回動させるアーム回動手段が取り付けられ、左右のアームが展開状態となる位置でアーム回動手段を解除可能に固定する固定手段を備えていることを特徴とする構成とした。
【００１１】
また、本発明の請求項２の記載にかかる折畳式ハンガー（以下、「請求項２のハンガー」と記す。）は、アーム回動手段が、スライド移動させる際に指を引っ掛ける指掛かり部を備えている構成とした。
【００１２】
上記構成において、本発明の折畳式ハンガーを構成する材質としては、樹脂、木、金属など特に限定されないが、たとえば、熱可塑性樹脂などを材質とすると、成型が容易となるとともに軽量化を図ることができるため好ましい。
【００１３】
また、アーム回動手段は、上下方向に移動させることでアーム係止部がアーム内の空間部を移動して、左右のアームを展開状態および折り畳み状態に回動させるようになっていれば、どのような形態をしていても良く、特に限定されないが、たとえば、請求項２のハンガーのように指掛かり部を備えていれば、より容易にアーム回動手段の上下方向の移動を図ることができるため好ましい。
【００１４】
このとき、指掛かり部とフック部とを兼用させるようにしても構わない。
このようにすると、フック部を引っ張ったり押したりする容易な操作で左右のアームの開閉が可能となる。
さらに、固定手段は、アーム回動手段を固定することができるのであれば、特に限定されないが、たとえば、傘の軸部に設けられた開放状態を固定する部分のような形態が挙げられる。
【発明の効果】
【００１５】
請求項１のハンガーは、以上のような構成をしているため、アーム回動手段をスライドさせるという容易な操作を行うだけでハンガーの左右のアーム部を開閉することが可能となり、しかもアームが展開された状態で、アーム回動手段のアーム係止部がそれぞれのアームを係止保持するため、洗濯後のトレーナーなどの重い衣類であっても確実に掛けることができる。
【００１６】
また、請求項２のハンガーは、請求項１のハンガーの効果に加えて、アーム回動手段が指引っ掛かり部を備えているため、アーム回動手段をスライド移動させる操作が、より容易に行えるようになり、アームの開閉をよりスムースに行うことが可能となる。
【発明を実施するための最良の形態】
【００１７】
以下に、本発明を、その実施の形態をあらわす図面を参照しつつ詳しく説明する。
図１は、本発明にかかる折畳式ハンガーの１実施形態を示した正面図である。
図１に示したように、折畳式ハンガー１は、熱可塑性樹脂により形成され、フック部２と、左アーム部３と、右アーム部４と、アーム支持部５と、アーム回動手段６とを備えている。
【００１８】
フック部２は、図１および図２に示したように、上端が膨らんだ円弧状をしており、物干し竿や洋服たんすのハンガー掛け部などに吊り下げられるようになっている。
左アーム部３は、樹脂製で中空のリング状の枠でハンガー片状に形成されたものであり、図１および図２に示したように、支持部当接部３１と、アーム当接部３２と、空間部３３と、アーム回動手段落下防止部３aとを備えているとともに、アーム取り付け部３４においてヒンジを介して回動自在にアーム支持部５に枢止されている。
【００１９】
支持部当接部３１は、図１に示したように左アーム部３が折り畳まれた状態のときは、上端位置に配置されるとともに、図２に示したように左アーム部３が展開された状態のときは、アーム支持部５の側面５０に臨むようになっている。
アーム当接部３２は、支持部当接部３１との間でコーナーが形成されるように設けられており、図１に示したように左アーム部３が折り畳まれた状態のときは、折畳式ハンガー１の内側に配置され、後述する右アーム部４のアーム当接部４２とお互いに臨み合うようになっている。
【００２０】
空間部３３は、図１に示したように、左右のアーム部３，４が折り畳まれた状態のときに支持部当接部３１とアーム当接部３２とに臨むように上端内側に直角のコーナーが形成された三角形に仕切られており、アーム回動手段６のアーム係止部６１が上下方向可能な状態で挿入されている。
【００２１】
アーム取り付け部３４は、図１に示したように、左右のアーム部３，４が折り畳まれた状態において、支持部当接部３１とアーム当接部３２とで形成されたコーナー部分の上方に設けられており、図２に示したように、左右のアーム部３，４が回動して展開することが可能となるように、アーム支持部５にヒンジ７を介して取り付けられている。
【００２２】
アーム回動手段落下防止部３aは、後述するアーム回動手段６が下方に落下するのを防止するように、図１に示したように、リング状に形成されている左アーム部３内に設けられている。
【００２３】
右アーム部４は、上述した左アーム部３と左右対称に設けられており、支持部当接部４１と、アーム当接部４２と、空間部４３とを備えているとともに、アーム取り付け部４４においてヒンジ７を介して回動自在にアーム支持部５に枢止されている。
【００２４】
アーム支持部５は、図１および図２に示したように、上方にフック部２が連結されているとともに、下方に左アーム部３および右アーム部４が枢止されている。
また、図１、図２、および図３に示したように、アーム回動手段６の軸部６２を挿通させる孔５１が設けられている。
【００２５】
アーム回動手段６は、図１〜図３に示したように、アーム係止部６１と、軸部６２と、固定手段６３とを備えており、図１および図２に示したように、上下方向にスライド移動可能となっている。
アーム係止部６１は、リング状に形成されており、図１および図２に示したように、左右のアーム３，４が折り畳まれた状態でも、展開された状態でも空間部３３および４３に挿入されるようになっている。
【００２６】
軸部６２は、アーム係止部６１の中央位置から垂直に立ち上がるように形成され、図1に示したように、左右のアーム３，４が折り畳まれた状態では、その上端部がアーム支持部５に設けられている孔５１内に挿通されており、左右のアーム３，４が展開された状態では、その中央部まで孔５１内に挿通されるようになっている。
【００２７】
また、軸部６２は、図２および図３に示したように、左右のアーム３，４が展開された状態で、軸部６２をアーム支持部５に固定するための固定手段６３が設けられている。
固定手段６３は、図３に示したように、軸部６２の内部に収納されているばね（図示せず）の付勢力により軸部６２の側面から、上方よりも下方のほうが幅広となるように突出しており、押圧することで軸部６２内に収まるようになっている。
【００２８】
以上のような構成をしている折畳式ハンガー１は、通常、図１に示したように、左右のアーム部３，４が折り畳まれた状態にある。
そして、衣類などを掛けるときは、衣類の首周り部分を折り畳まれた状態の左右のアーム部３，４に通し、その後、アーム回動手段６を上方にスライドさせ、左右のアーム３，４を展開状態とする。
【００２９】
すると、折畳式ハンガー１が、図２に示したように展開された状態となり、衣類の首周り部分を伸ばすことなく衣類を掛けることが可能となる。
このとき、アーム回動手段６の軸部６２に設けられている固定手段６３を図２および図３に示したように、アーム支持部５に係止させることで、左右のアーム部３，４が折り畳まれないように固定する。
【００３０】
一方、掛けている衣類を折り畳みハンガーから取り外すときは、固定手段６３を押圧して、アーム支持部５への係止状態を解除する。
すると、衣類の重みにより、自然に左右のアーム部３，４が下方に折り畳まれた状態（図１に示した状態）となり、容易に衣類を取り外すことが可能となる。
【００３１】
なお、左右のアーム部３，４が折り畳まれた状態のとき、アーム回動手段６は、アーム回動手段落下防止部材３aに引っかかるため、所定位置よりも落下することはない。
折畳式ハンガー１は、丸首の衣類など、従来ハンガーにかけたときに、首部分が伸びる恐れのある衣類を掛けるときでも、アーム部分３，４が折り畳まれたり展開したりするため、首部分を伸ばすことなく確実に掛けることができる。
【００３２】
また、折畳式ハンガー１は、左右のアーム３，４が展開された状態のとき、固定手段６３によりアーム回動手段６が固定されるようになっているとともに、左右のアーム部３，４を支持しているのが、ヒンジ部分７だけでなく、アーム回動手段６のアーム係止部６１が左右のアーム３，４が折り畳まれるのを抑えるように空間部３３，４３に係止されているため、非常に強度が強く、水にぬれたトレーナーなどの重量物からなる衣類を掛けるときにも壊れる心配がない。
【００３３】
さらに、折畳式ハンガー１は、固定手段６３を押圧するだけの簡単な操作で、左右のアーム部３，４の展開状態を解除して、折り畳まれた状態にすることができるため、取り扱いが容易である。
【００３４】
なお、本発明にかかる折畳式ハンガーは、上記実施の形態に限定されるものではない。
図４および図５は、本発明にかかる他の実施の形態を示した折畳式ハンガー１０を示した正面図である。
折畳式ハンガー１０は、アーム回動手段６０がフック部２０と一体に形成され、アーム支持部５０と別体になっていることを除いて、折畳式ハンガー１と同様の構成をしている。
【００３５】
上記構成をしている折畳式ハンガー１０は、フック部２０または指つまみ部２０ａが指掛かり部としての役割も有するため、フック部２０または指つまみ部２０ａに指をかけて上下に移動させることにより、アーム回動手段６０を上下にスライドさせることが可能となるため、より、左右のアーム部３０、４０の折り畳みおよび展開を容易に行うことが可能となる。
【００３６】
また、指つまみ部２０ａは、左右のアーム部３０、４０を折り畳んだとき、アーム回動手段６０が下方に下がり過ぎないように、アーム支持部材５０に対するストッパーとしての役割も有する。
このような形態をしている折畳式ハンガーとしては、指つまみ部２０ａに変えて、リング状の指掛け部を形成させても良いし、フック部２０を構成する軸部の一部を球状などに膨張させてストッパー兼指つまみ部としても良い。
【００３７】
また、図６および図７は、本発明にかかるさらに他の実施形態を示した折畳式ハンガー１００を示した正面図である。
折畳式ハンガー１００は、フック部２００と、左アーム部３００と、右アーム部４００と、アーム支持部５００と、アーム回動手段６００とを備えている。
【００３８】
フック部２００は、図６および図７に示したように、アーム支持部５００の上方に連設されている。
また、左右のアーム部３００、４００は、図６に示したように、アーム部３００、４００が折り畳まれた状態で上端内側のコーナー部分近傍でアーム支持部５００にヒンジ７００で枢止されており、空間部３３０、４３０を備えている。
【００３９】
空間部３３０、４３０は、図６および図７に示したように、にアーム係止部６１０が取り付けられており、アーム部３００、４００が折り畳まれた状態および展開された状態でそれぞれの空間部３３０，４３０同士の間隔が、アーム係止部６１０の幅よりも狭く形成されている。
【００４０】
アーム支持部５００は、図６および図７に示したように、正面視略Ａ字形状をしており、その内部の空間５２０内で、アーム回動手段６００の軸部６２０の上端に設けられている指掛け部６４０がスライド移動するようになっている。
アーム回動手段６００は、アーム係止部６１０と、軸部６２０と、固定手段６３０と、指掛け部６４０とを備えており、その基本的役割は、上述した折畳式ハンガー１のアーム回動手段６と同じである。
【００４１】
以上のような構成をしている折畳式ハンガー１００は、左右のアーム部３００，４００が折り畳まれた状態であっても、展開された状態であっても、フック部２００がアーム回動手段６００により塞がれることがないため、どのような状態にあっても確実にフック部２００を物干し竿などの被係止部材に掛けることが可能となる。
【産業上の利用可能性】
【００４２】
本発明にかかる折畳式ハンガーは、以上のように構成されているので、家庭において洗濯物を掛けるハンガーとして使用することができることはもちろん、衣類販売店において、販売する衣類を傷めずに、衣類をハンガーに掛けたり取り外したりすることが容易に行えるようになる。
【図面の簡単な説明】
【００４３】
【図１】本発明にかかる折畳式ハンガーの１実施形態の折り畳み状態を示した正面図である。
【図２】図１の折畳式ハンガーのアーム部が展開された状態を示した正面図である。
【図３】図１の折畳式ハンガーの固定手段の部分を説明するための拡大図である。
【図４】本発明にかかる折畳式ハンガーの他の実施形態の折り畳み状態を示した正面図である。
【図５】図４の折畳式ハンガーのアーム部が展開された状態を示した正面図である。
【図６】本発明にかかる折畳式ハンガーの他の実施形態の折り畳み状態を示した正面図である。
【図７】図６の折畳式ハンガーのアーム部が展開された状態を示した正面図である。
【符号の説明】
【００４４】
１      折畳式ハンガー
２      フック部
３      左アーム部
４      右アーム部
５      アーム支持部
６      アーム回動手段
６１    アーム係止部
６３    固定手段
【図１】
2005124887.tif 000003
【図２】
2005124887.tif 000004
【図３】
2005124887.tif 000005
【図４】
2005124887.tif 000006
【図５】
2005124887.tif 000007
【図６】
2005124887.tif 000008
【図７】
2005124887.tif 000009